(57)【特許請求の範囲】
【請求項１】
電源喪失等の非常時に、原子炉内の水位を計測する方法において、
原子炉とほぼ同じ高さ及びほぼ同じ縦方向の長さを有する筒状の密閉されたチャンバーを予め設け、
前記原子炉から導出した計装管をＴ型分岐させた管を前記チャンバーの下部に接続して前記原子炉の液相部とチャンバーとを連結し、また、当該チャンバーの上部と前記原子炉の気相部とを配管により連結し、常時、前記チャンバー内の水位を前記原子炉の水位と同じくし、
当該チャンバー内で長手方向に千鳥型液面計を設け、当該液面計に対向する位置のチャンバーの側面に透明な強化ガラスの窓を設け、前記チャンバーの前記窓を通して中の千鳥型液面計を目視して前記原子炉の水位を計測することを特徴とする、非常時における原子炉の水位計測方法。
【請求項２】
電源喪失等の非常時に、原子炉内の水位を計測する方法において、
原子炉とほぼ同じ高さ及びほぼ同じ縦方向の長さを有する筒状の密閉されたチャンバーを予め設け、
前記原子炉から導出した計装管をＴ型分岐させた管を前記チャンバーの下部に接続して前記原子炉の液相部とチャンバーとを連結し、また、当該チャンバーの上部と前記原子炉の気相部とを配管により連結して、常時、前記チャンバー内の水位を前記原子炉の水位と同じくし、
当該チャンバーの頂部に超音波発射装置を設け、原子炉格納容器の外側に設けた超音波水位計測装置により前記チャンバー内に超音波を発射させて、チャンバー内の水位を計測することを特徴とする、非常時における原子炉の水位計測方法。
【請求項３】
電源喪失等の非常時に、原子炉内の水位を計測する方法において、
原子炉とほぼ同じ高さ及びほぼ同じ縦方向の長さを有する筒状の密閉されたチャンバーを予め設け、前記原子炉から導出した計装管をＴ型分岐させた管を前記チャンバーの下部に接続して前記原子炉の液相部とチャンバーとを連結し、また、当該チャンバーの上部と前記原子炉の気相部とを配管により連結して、常時、前記チャンバー内の水位を前記原子炉の水位と同じくし、
前記チャンバー内に長手方向に電気的導体から成る管内に芯線を設けた同軸ケーブル様の特殊ケーブルを設け、原子炉格納容器の外側に設けたＴＤＲ計測器と前記特殊ケーブルとを接続し、前記ＴＤＲ計測器から前記チャンバー内の特殊ケーブルにパルス波を発射させて、当該パルス波の反射波の到達時間から距離を計測し、これにより前記チャンバー内の水位を計測することを特徴とする、非常時における原子炉の水位計測方法。
【請求項４】
電源喪失等の非常時に、原子炉内の水位を計測する装置において、
原子炉とほぼ同じ高さ及びほぼ同じ縦方向の長さを有する筒状の密閉されたチャンバーを予め設け、前記原子炉から導出した計装管をＴ型分岐させた管を前記チャンバーの下部に接続して前記原子炉の液相部とチャンバーとを連結し、また、当該チャンバーの上部と前記原子炉の気相部とを配管により連結し、常時、前記チャンバー内の水位を前記原子炉の水位と同じくし、
当該チャンバー内で長手方向に千鳥型液面計を設け、当該液面計に対向する位置のチャンバーの側面に透明な強化ガラスの窓を設け、原子炉の電源喪失及び冷却水の供給停止等の非常時に、前記チャンバーの前記窓を通して中の千鳥型液面計を目視して前記原子炉の水位を計測可能としたことを特徴とする、非常時における原子炉の水位計測装置。
【請求項５】
電源喪失等の非常時に、原子炉内の水位を計測する装置において、
原子炉とほぼ同じ高さ及びほぼ同じ縦方向の長さを有する筒状の密閉されたチャンバーを予め設け、前記原子炉から導出した計装管をＴ型分岐させた管を前記チャンバーの下部に接続して前記原子炉の液相部とチャンバーとを連結し、また、当該チャンバーの上部と前記原子炉の気相部とを配管により連結して、常時、前記チャンバー内の水位を前記原子炉の水位と同じくし、
当該チャンバーの頂部に超音波発射装置を設け、原子炉格納容器の外側に設けた超音波水位計測装置により前記チャンバー内に超音波を発射させて、チャンバー内の水位を計測可能としたことを特徴とする、非常時における原子炉の水位計測装置。
【請求項６】
電源喪失等の非常時に、原子炉内の水位を計測する装置において、
原子炉とほぼ同じ高さ及びほぼ同じ縦方向の長さを有する筒状の密閉されたチャンバーを予め設け、前記原子炉から導出した計装管をＴ型分岐させた管を前記チャンバーの下部に接続して前記原子炉の液相部とチャンバーとを連結し、また、当該チャンバーの上部と前記原子炉の気相部とを配管により連結して、常時、前記チャンバー内の水位を前記原子炉の水位と同じくし、
前記チャンバー内に長手方向に電気的導体から成る管内に芯線を設けた同軸ケーブル様の特殊ケーブルを設け、原子炉格納容器の外側に設けたＴＤＲ計測器と前記特殊ケーブルとを接続し、前記ＴＤＲ計測器から前記チャンバー内の特殊ケーブルにパルス波を発射させて、当該パルス波の反射波のＴＤＲ計測器への戻り時間から距離を計測し、これにより前記チャンバー内の水位を計測可能としたことを特徴とする、非常時における原子炉の水位計測装置。
【請求項７】
前記請求項４〜６のいずれかに記載の装置において、
前記計装配管からＴ分岐させた管及び当該チャンバーの上部と前記原子炉の気相部とを連結させた配管にそれぞれ設けた弁を閉じ、前記チャンバーの
上部又は下部に設けた排気又は排水用の開口の栓を開けて当該チャンバー内に冷水を注入して、当該チャンバー内を満水にし、
その後、前記栓を閉めて、前記各弁を開けることにより、前記チャンバー内の水が、低下した原子炉水位と同レベルになるまで原子炉内に入り、これらの工程を複数回繰り返すことにより、原子炉内に冷水を注入することを特徴とする、非常時における原子炉への注水方法。
【請求項８】
前記請求項４〜６のいずれかに記載の装置において、
前記計装配管からＴ分岐させた管及び当該チャンバーの上部と前記原子炉の気相部とを連結させた配管にそれぞれ設けた弁を閉じ、前記チャンバーの上部又は下部に設けた排気又は排水用の開口の栓を開けて当該チャンバー内に冷水を注入して、当該チャンバー内を満水にし、
その後、前記栓を閉めて、当該チャンバーから冷水を使用済み核燃料貯蔵プールへ注水し、これらの工程を複数回繰り返して行うことを特徴とする、非常時における使用済み核燃料貯蔵プールへの注水方法。  
【発明の詳細な説明】
【技術分野】
【０００１】
この発明は、沸騰水型原子炉において、外部電源を喪失し、非常用電源も使用不可能となり、更に、海水冷却機能が失われるような非常時においても原子炉を安定した状態で長期間維持できよう、原子炉の水位の測定方法及びその装置に関するものであり、さらに、前記水位が低下した場合に原子炉に注水する方法に関するものであり、前記原子炉の水位低下による燃料の過熱損傷や原子炉格納容器の損傷に至らないようにするものである。
【背景技術】
【０００２】
沸騰水型原子炉においては、何らかの原因により外部電源が喪失し、非常用電源も使用不可能となり、更に、海水冷却機能が失われた状況においては、原子炉施設の安全確保に必要な機器へ直流電源から電力を供給し、原子炉の緊急停止を行うとともに炉心を冷却して、原子力プラントを安全な状態に保つことが出来るように構成されている。
【０００３】
在来の原子力プラントは、プラントの通常運転時においては、図５に示すように、原子炉１で発生した蒸気は、主蒸気管２を介してタービン３に送られる。タービン３で仕事をした排気蒸気は復水器４で凝縮され復水となり、復水管を経て復水ポンプ５により昇圧され、給水加熱器６及び給水ヘッダ７を通って、最終的に原子炉１に戻るサイクルを構成している。なお、前記給水ヘッダ７から原子炉１への配管の途中には、給水逆止弁２５及び２６が設けられている。
【０００４】
また、外部電源等を喪失した場合には、原子炉は自動停止し、原子炉１とタービン３を離隔する。そして、蒸気逃がし安全弁８にて蒸気圧力を圧力抑制室９に逃がして凝縮させるとともに、蒸気駆動の原子炉隔離時冷却系のタービン１０にてポンプ１１を作動させ、前記圧力抑制室９又は復水貯蔵タンク１２の水を原子炉１に注水している。この状況は１０時間以上維持され、事故時には最長で３日間の運転が維持できた実績がある。
【０００５】
また、この原子炉１内の水位計測装置は、図６に示すように、原子炉１の気相部に凝集槽１５を介して接続され、原子炉格納容器２４を貫通して原子炉格納容器２４の外側に延在した基準圧力導管１６と、原子炉１の液相部に接続され、原子炉格納容器２４を貫通して原子炉格納容器２４の外側に延在した水位圧力導管１７と、原子炉格納容器２４の外側に配置され、原子炉１内の水位に対応する状態量として、基準圧力導管１６から導入された基準圧力と水位圧力導管１７から導入された水位圧力との差圧を測定する差圧計１８とを備えている。
【０００６】
前記凝縮槽１５は、原子炉格納容器２４の内側に配置されている。そして、原子炉１の気相部から凝縮槽１５に流入した蒸気が放熱して凝縮し、凝縮した水が凝縮槽１５及び基準圧力導管１６内に貯留されるようになっている。また、凝縮槽１５内の水面高さを一定に保つため、過剰な水が原子炉１に戻されるようになっている。
【０００７】
前記基準圧力導管１６から差圧計１８に導入される基準圧力は、凝縮槽１５内の水面高さによる液相の圧力（基準水頭）と、凝縮槽１５内の気相の圧力（言い換えれば、ほぼ原子炉１内の気相の圧力）との和である。一方、水位圧力導管１７から差圧計１８に導入される水位圧力は、原子炉１の水位に応じて変動する液相の圧力（水位水頭）と、原子炉１内の気相の圧力との和である。差圧計１８は、前述した基準圧力と水位圧力との差圧（すなわち、ほぼ基準水頭と水位水頭との差圧）を測定し、これに基づいた水位信号を図外の表示装置等へ出力する。これは特許文献１の従来例を示す図９にも記載されている。
【０００８】
また、特許文献２に示す様に、電源喪失・海水冷却不可能時の原子炉への注水、冷却方法について開発されている。これは、原子炉から原子炉格納容器の外に設置されている計器まで接続された計装配管に高圧洗浄ポンプを接続し、当該高圧洗浄ポンプから原子炉に清水を注入する方法である。
【先行技術文献】
【特許文献】
【０００９】
【特許文献１】特開平６−３３１７８４号公報
【特許文献２】特開２０１４−２９３００号公報
【発明の開示】
【発明が解決しようとする課題】
【００１０】
上記特許文献１に示す従来技術では、通常運転時であれば、凝縮槽１５内の水面高さによる基準水頭を一定に保つことが可能であり、原子炉１内の水位を正確に計測することが可能である。しかし、原子炉格納容器１内の温度が通常運転時より上昇するとともに原子炉１内の水位が通常運転時より低下するような非常時には、例えば、凝縮槽１５内の水が蒸発して水面高さが変動し、基準水頭が変動する。そのため、水位の計測誤差が生じる。また、電源喪失時は前記凝縮槽１５はからだき状態となり、前記差圧計１８は作動せず、計測不能となる。
【００１１】
また、前記特許文献２の方法では、原子炉に計装配管を通して高圧洗浄水を直接注入するため、高圧洗浄ポンプを用意しなければならない。
【００１２】
そこで、この発明は、これらの従来技術に鑑み、原子炉が外部電源を喪失し、非常用電源も使用不可能となり、更に、海水冷却機能が失われる等の非常時においても原子炉の水位を確実に計測できる方法及びその装置を提供するとともに、これらの装置を用いて、容易に原子炉に冷却水を注水できる方法を提供するものである。
【課題を解決するための手段】
【００１３】
請求項１の発明は、電源喪失等の非常時に、原子炉内の水位を計測する方法において、原子炉とほぼ同じ高さ及びほぼ同じ縦方向の長さを有する筒状の密閉されたチャンバーを予め設け、前記原子炉から導出した計装管をＴ型分岐させた管を前記チャンバーの下部に接続して前記原子炉の液相部とチャンバーとを連結し、また、当該チャンバーの上部と前記原子炉の気相部とを配管により連結し、常時、前記チャンバー内の水位を前記原子炉の水位と同じくし、当該チャンバー内で長手方向に千鳥型液面計を設け、当該液面計に対向する位置のチャンバーの側面に透明な強化ガラスの窓を設け、前記チャンバーの前記窓を通して中の千鳥型液面計を目視して前記原子炉の水位を計測する、非常時における原子炉の水位計測方法とした。
【００１４】
また、請求項２発明は、電源喪失等の非常時に、原子炉内の水位を計測する方法において、原子炉とほぼ同じ高さ及びほぼ同じ縦方向の長さを有する筒状の密閉されたチャンバーを予め設け、前記原子炉から導出した計装管をＴ型分岐させた管を前記チャンバーの下部に接続して前記原子炉の液相部とチャンバーとを連結し、また、当該チャンバーの上部と前記原子炉の気相部とを配管により連結して、常時、前記チャンバー内の水位を前記原子炉の水位と同じくし、当該チャンバーの頂部に超音波発射装置を設け、原子炉格納容器の外側に設けた超音波水位計測装置により前記チャンバー内に超音波を発射させて、チャンバー内の水位を計測する、非常時における原子炉の水位計測方法とした。
【００１５】
また、請求項３発明は、電源喪失等の非常時に、原子炉内の水位を計測する方法において、原子炉とほぼ同じ高さ及びほぼ同じ縦方向の長さを有する筒状の密閉されたチャンバーを予め設け、前記原子炉から導出した計装管をＴ型分岐させた管を前記チャンバーの下部に接続して前記原子炉の液相部とチャンバーとを連結し、また、当該チャンバーの上部と前記原子炉の気相部とを配管により連結して、常時、前記チャンバー内の水位を前記原子炉の水位と同じくし、前記チャンバー内に長手方向に電気的導体から成る管内に芯線を設けた同軸ケーブル様の特殊ケーブルを設け、原子炉格納容器の外側に設けたＴＤＲ計測器と前記特殊ケーブルとを接続し、前記ＴＤＲ計測器から前記チャンバー内の特殊ケーブルにパルス波を発射させて、当該パルス波の反射波の到達時間から距離を計測し、これにより前記チャンバー内の水位を計測する、非常時における原子炉の水位計測方法とした。
【００１６】
また、請求項４発明は、電源喪失等の非常時に、原子炉内の水位を計測する装置において、原子炉とほぼ同じ高さ及びほぼ同じ縦方向の長さを有する筒状の密閉されたチャンバーを予め設け、前記原子炉から導出した計装管をＴ型分岐させた管を前記チャンバーの下部に接続して前記原子炉の液相部とチャンバーとを連結して、また、当該チャンバーの上部と前記原子炉の気相部とを配管により連結し、常時、前記チャンバー内の水位を前記原子炉の水位と同じくし、当該チャンバー内で長手方向に千鳥型液面計を設け、当該液面計に対向する位置のチャンバーの側面に透明な強化ガラスの窓を設け、原子炉の電源喪失及び冷却水の供給停止等の非常時に、前記チャンバーの前記窓を通して中の千鳥型液面計を目視して前記原子炉の水位を計測可能とした、非常時における原子炉の水位計測装置とした。
【００１７】
また、請求項５発明は、電源喪失等の非常時に、原子炉内の水位を計測する装置において、原子炉とほぼ同じ高さ及びほぼ同じ縦方向の長さを有する筒状の密閉されたチャンバーを予め設け、前記原子炉から導出した計装管をＴ型分岐させた管を前記チャンバーの下部に接続して前記原子炉の液相部とチャンバーとを連結し、また、当該チャンバーの上部と前記原子炉の気相部とを配管により連結して、常時、前記チャンバー内の水位を前記原子炉の水位と同じくし、当該チャンバーの頂部に超音波発射装置を設け、原子炉格納容器の外側に設けた超音波水位計測装置により前記チャンバー内に超音波を発射させて、チャンバー内の水位を計測可能とした、非常時における原子炉の水位計測装置とした。
【００１８】
また、請求項６の発明は、電源喪失等の非常時に、原子炉内の水位を計測する装置において、原子炉とほぼ同じ高さ及びほぼ同じ縦方向の長さを有する筒状の密閉されたチャンバーを予め設け、前記原子炉から導出した計装管をＴ型分岐させた管を前記チャンバーの下部に接続して前記原子炉の液相部とチャンバーとを連結し、また、当該チャンバーの上部と前記原子炉の気相部とを配管により連結して、常時、前記チャンバー内の水位を前記原子炉の水位と同じくし、前記チャンバー内に長手方向に電気的導体から成る管内に芯線を設けた同軸ケーブル様の特殊ケーブルを設け、原子炉格納容器の外側に設けたＴＤＲ計測器と前記特殊ケーブルとを接続し、前記ＴＤＲ計測器から前記チャンバー内の特殊ケーブルにパルス波を発射させて、当該パルス波の反射波のＴＤＲ計測器への戻り時間から距離を計測し、これにより前記チャンバー内の水位を計測可能とした、非常時における原子炉の水位計測装置とした。
【００１９】
請求項７の発明は、前記請求項４〜６のいずれかに記載の装置において、前記
計装配管からＴ分岐させた管及び当該チャンバーの上部と前記原子炉の気相部とを連結させた配管にそれぞれ設けた弁を閉じ、前記チャンバーの上部又は下部に設けた排気又は排水用の開口の栓を開けて当該チャンバー内に冷水を注入して、当該チャンバー内を満水にし、その後、前記栓を閉めて、前記各弁を開けることにより、前記チャンバー内の水が、低下した原子炉水位と同レベルになるまで原子炉内に入り、これらの工程を複数回繰り返すことにより、原子炉内に冷水を注入する、非常時における原子炉への注水方法とした。
【００２０】
また、請求項８の発明は、前記請求項４〜６のいずれかに記載の装置において、前記計装配管からＴ分岐させた管及び当該チャンバーの上部と前記原子炉の気相部とを連結させた配管にそれぞれ設けた弁を閉じ、前記チャンバーの上部又は下部に設けた排気又は排水用の開口の栓を開けて当該チャンバー内に冷水を注入して、当該チャンバー内を満水にし、その後、前記栓を閉めて、当該チャンバーから冷水を使用済み核燃料貯蔵プールへ注水し、これらの工程を複数回繰り返して行う、非常時における使用済み核燃料貯蔵プールへの注水方法とした。
【発明の効果】
【００２１】
請求項１及び請求項４の発明によれば、外部電源を喪失し、かつ非常用電源も使用不可能な状況でも、原子炉と水位を同じくしたチャンバーの透明なガラスの窓から内部の千鳥方液面計を目視でき、当該液面計によりチャンバー内の水位及び原子炉内の水位が確認できる。また、前記チャンバーの透明なガラスの窓を原子炉建屋の大物搬入口の扉や非常用脱出口に対向されば、原子炉建屋の外からでもこれらの開口部を通して、チャンバー内の前記液面計を目視でき、水位を計測することができる。さらに、前記チャンバーの前記窓の外にカメラを設け、当該カメラで液面計を撮影すれば、遠距離からでも原子炉の水位を測定できる。しかも、これらの測定には電源は不要であり、非常時に適している。
【００２２】
また、請求項２及び請求項５の発明によれば、外部電源を喪失し、かつ非常用電源も使用不可能な状況でも、原子炉と水位を同じくしたチャンバーの水面に向けて、原子炉格納容器または原子炉建屋の外側から超音波レベル計により超音波を発射させて、当該超音波の水面からの反射波の戻り時間により、チャンバー内の水位を計測するため、安全にかつ遠隔地から原子炉内の水位を計測することができる。
【００２３】
また、請求項３及び請求項６発明によれば、外部電源を喪失し、かつ非常用電源も使用不可能な状況でも、原子炉と水位を同じくしたチャンバーの水面に向けて、原子炉格納容器の外側からＴＤＲレベル計によりパルス波をチャンバー内の特殊ケーブルに発射させて、当該チャンバー内の水面からの前記パルス波の反射波の戻り時間により、チャンバー内の水位を計測するため、安全にかつ遠隔地から原子炉内の水位を計測することができる。
【００２４】
また、請求項７の発明によれば、外部電源を喪失し、かつ非常用電源も使用不可能な状況でも、当該原子炉とチャンバーとを弁により隔離し、高圧となっていないチャンバー内に消防ホース等で注水し、チャンバー内を満水にしてから密閉し、前記弁を開いて原子炉とチャンバーを連通させる。これによりチャンバー内の水の重力で、原子炉内に注水される。従って、従来のような高圧洗浄ポンプを不要とし容易に原子炉に冷水を注入することができる。
【００２５】
また、請求項８の発明によれば、外部電源を喪失し、かつ非常用電源も使用不可能な状況でも、当該原子炉とチャンバーとを弁により隔離し、高圧となっていないチャンバー内に消防ホース等で注水し、チャンバー内を満水にしてから密閉し、当該チャンバー内の冷水を使用済み燃料貯蔵プールに注入することができる。その際、前記使用済み燃料貯蔵プールは、一般的に原子炉の上部に位置しており、当該チャンバーから前記使用済み燃料貯蔵プールへの注水は、高さレベルがあまり変わらず、容易である。
【図面の簡単な説明】
【００２６】
【図１】この発明の実施の形態例１の非常時における原子炉の水位計測装置の概略構成図である。
【図２】この発明の実施の形態例１の原子炉の水位計測装置の要部の拡大概略構成断面図である。
【図３】この発明の実施の形態例１の原子炉の水位計測装置の要部の拡大正面図である。
【図４】この発明の実施の形態例１の原子炉の水位計測装置の一つの原理を示す構成図である。
【図５】従来の沸騰型原子炉の概略構成図である。
【図６】従来の沸騰型原子炉の水位計測装置を示す概略構成図である。
【発明を実施するための形態】
【００２７】
この発明の実施の形態例１の原子炉水位計測方法に使用する装置を図について説明する。
【００２８】
図１及び図２において、原子炉１とほぼ同じ高さで、ほぼ同じ縦方向の長さを有する筒状の密閉されたチャンバー３３が設けられている。当該チャンバー３３は原子炉格納容器２４の外側の原子炉建屋（図示省略）内に設けられている。また、前記原子炉１の圧力、水位、流量を測定するため、原子炉１から、原子炉格納容器２４の外に設けた多数の計器１３（図２参照、ただし図２では１個のみ表示）まで接続された数十本の計装配管１４（図１では２本、また、図２では１本のみ記載）が設けられている。このうちの複数本の計装配管１４に分岐継手２７（図２参照）をそれぞれ設け、当該各分岐継手２７に過流逆止弁３２付き配管１９を接続し、当該配管１９の他端を前記チャンバー３３の下部に接続したものである。従って、チャンバー３３の下部と原子炉１の液相部とは前記配管１９及び計装配管１４を介して連結されている。
【００２９】
また、前記チャンバー３３の下部から開閉弁３４を設けた配管３５を介して外部給水タンク２０と接続されている。また、前記チャンバー３３の上部から過流逆止弁３６付きの配管３７を介して原子炉離隔時冷却系の給水系統と接続されている。また、当該チャンバー３３の上部から導出した、蒸気取出弁２１付き配管２２は、原子炉１内の気相部と原子炉離隔時冷却系を介して接続されている。従って、チャンバー３３の上部と原子炉１の気相部とは連結されている。さらに、前記チャンバー３３の上部には、開閉弁３８を設けた配管３９が設けられ、その先端は使用済み燃料貯蔵プール２８に接続されている。
【００３０】
そして、前記チャンバー３３内には、図２に示すように、千鳥型液面計４０が、当該チャンバー３３の長手方向に沿って設けられている。また、この千鳥型液面計４０に対向したチャンバー３３の側面には、図３に示すように、強化ガラスで覆われた窓４１が設けられ、当該チャンバー３３の外から窓４１を通して千鳥型液面計４０が目視できる。この千鳥型液面計４０は、気相面では赤色となり、液相面では黒色となる。従って、遠くから水面Ｌを目視可能である。そして、この目視は、原子炉建屋の大物搬入口の扉の外から、また、同非常用脱出口からも可能となる。
【００３１】
また、当該チャンバー３３の上部には、図２に示すように、超音波レベル計４２が設けられ、チャンバー３３内の水面Ｌに向けて超音波を発射し、水面Ｌからの反射波を受信できるようになっている。この超音波レベル計４２については、原子炉建屋の大物搬入口の中扉の外の中間位置で原子炉１の水位の測定、監視ができるように計器への電源供給、レベル信号の測定用に機器を上記位置まで引き出しておき、非常時の原子炉１の水位の確認を実施する。
【００３２】
さらに、当該チャンバー３３内の上部から下部に向けて同軸ケーブルの様な、底のない筒状の電気的な導管４３ａ内に芯線４３ｂを設けた特殊ケーブルを有するＴＤＲレベル計（タイム・ドメイン・リフレクトメータ）４３が設けられている。
【００３３】
当該ＴＲＤレベル計４３は、図４に示すように、芯線４３ｂにプラスの電極を接続し、導管４３ａにマイナスの電極を接続してパルス電流を流すと、芯線４３ｂに流れたパルス電流は導管４３ａ内の水面Ｌで反射し、前記導管４３ａを通して戻り、このパルス電流を発射してから計器に戻る時間を計測して、その距離を算出し、当該チャンバー３３内の水位を計測する構成となっている。このＴＤＲレベル計４３も上記超音波レベル計４２と同様に、原子炉建屋の大物搬入口の中扉の外の中間位置で測定可能なように電源や機器類を配置する。
【００３４】
また、当該チャンバー３３の頂部には開閉自在な栓を有する排気口４４が設けられ、また、底部には、開閉自在な栓を有する給水口４５が設けられている。
【００３５】
なお、この実施の形態例１では、上述のように水位を測る手段として、千鳥型液面計４０、超音波レベル計４２及びＴＤＲレベル計４３の３種類を設けたが、これらのうちの１種類の水位計測手段を設ける場合もある。
【００３６】
次に、前記の各水位計測手段により、原子炉１内の水位を監視し、当該水位が低くなった場合に、以下の注入作業を行う。
【００３７】
まず、チャンバー３３の原子炉１との配管１９、２２、３７の過流逆止弁３２、蒸気取出弁２１及び過流逆止弁３６を閉め、チャンバー３３と原子炉１とを断絶する。その後、配管３５の開閉弁３４を開けて、当該配管３５の端部に接続した補給水タンク２０からチャンバー３３内に注水する。なお、この注水は、補給水タンク２０に限らず、消防ホース（図示省略）を前記配管３５の端部に接続してもよい。その際、チャンバー３３の上部配管３９の開閉弁３８を閉じ、また、チャンバー３３の排気口４４の栓を開け、空気を逃しながら注水する。
【００３８】
そして、当該注水によりチャンバー３３が満水になると前記排気口４４から水があふれ出ることにより、満水が分かり、注水を止める。その後、前記配管１９及び２２の複数の過流逆止弁３２と蒸気取出弁２１を開ける。これによりチャンバー３３の一部の水は前記配管１９及び１４を介して自重で原子炉１内に入り、前記チャンバー内の水が、低下した原子炉１の水位と同レベルになるまで原子炉１内に入る。これらの操作を繰り返すことにより、チャンバー３３を介して、原子炉１内に注水される。
【００３９】
また、チャンバー３３からの原子炉１への注水に代えて、使用済み燃料貯蔵プール２８に注水することもできる。
【００４０】
すなわち、チャンバー３３を満水にしたのち、配管３９の開閉弁３８を開け、配管３９を用いて前記使用済み燃料貯蔵プール２８に注水することも可能である。
【００４１】
また、上記実施の形態例１に代えて、原子炉建屋の上部階の壁面内側の可能なスペースに直方体型の注水タンクを複数設置しておき、これらの注水タンクから前記チャンバー３３に水の重力で一旦注水し、上記の方法で原子炉１や使用済み燃料貯蔵プール２８に注水することもできる。
【符号の説明】
【００４２】
１      原子炉                  ２        主蒸気管
３      タービン                ４        復水器
５      復水ポンプ              ６        給水加熱器
７      給水ヘッダ              ８        蒸気逃がし安全弁
９      圧力抑制室              １０      蒸気タービン    
１１    ポンプ                  １２      復水貯蔵タンク
１３    計器                    １４      計装配管
１５    凝縮槽                  １６      基準圧力導管
１７    水位圧力導管            １８      差圧計
１９    配管                    ２０      補給水タンク
２１    蒸気取出弁              ２２      配管
２４    原子炉格納容器          ２５      給水逆止弁
２６    給水逆止弁              ２７      分岐継手
２８    使用済み燃料貯蔵プール            
３２    過流逆止弁              ３３      チャンバー          
３４    開閉弁                  ３５      配管
３６    過流逆止弁              ３７      配管                  
３８    開閉弁                 ３９      配管  
４０    千鳥型液面計           ４１      窓  
４２    超音波レベル計         ４３      ＴＤＲレベル計  
４４    排気口                 ４５      給水口
【図１】
0006489903.tif 000002
【図２】
0006489903.tif 000003
【図３】
0006489903.tif 000004
【図４】
0006489903.tif 000005
【図５】
0006489903.tif 000006
【図６】
0006489903.tif 000007